(57)【要約】      （修正有）【課題】飲料カプセルを提供する。【解決手段】ホルダー１０を備え、ホルダーが第１開口と第２開口１０２を有し、ホルダーが内側壁及び内側壁の内側に位置する複数の仕切板を備え、仕切板が柱状空間を複数の貯蔵空間１１０に均一に仕切り、貯蔵空間内に淹れたて材料が充填され、飲料カプセルは、第１開口を覆うための第１濾紙２１及び第１シール膜３１と、第２開口を覆うための第２濾紙２２及び第２シール膜３２とを備え、ホルダーの第２端に複数の端板を有し、ホルダーが更に外側壁１５を備え、外側壁が内側壁１１の一端から外向きに延在してから内側壁の他端へ延在し、内側壁と外側壁との間に環状凹溝１６が形成され、ホルダーが更に内側壁の外表面により形成された複数の肋板を備える。ホルダーが仕切板１２と端板を有し、構造の力受けがより合理的で、変形しにくく、淹れたて材料の膨張に空間を提供し、膨張できないため淹れたて効果に影響しない。【選択図】図２
0003225795.tif 000002
【実用新案登録請求の範囲】
【請求項１】
飲料カプセルであって、
ホルダーを備え、前記ホルダーが第１開口と第２開口を有し、前記ホルダーが内側壁及び内側壁の内側に位置する複数の仕切板を備え、前記内側壁の内側に柱状空間が形成され、前記第１開口が前記柱状空間の一端に形成され、前記第２開口が前記柱状空間の他端に形成され、前記仕切板が前記柱状空間を複数の貯蔵空間に均一に仕切っており、前記貯蔵空間内に淹れたて材料が充填され、前記ホルダーの第１端には前記第１開口を覆うための第１濾紙及び第１シール膜が設置され、前記第１シール膜が前記第１濾紙の外側に位置し、前記ホルダーの第２端には前記第２開口を覆うための第２濾紙及び第２シール膜が設置され、前記第２シール膜が第２濾紙の外側に位置し、
前記仕切板が前記内側壁の内側表面から前記柱状空間の中心軸線へ延在し、又は前記仕切板が前記内側壁の内側表面から前記柱状空間の中心軸線へ延在して中心軸線に交差し、
前記ホルダーの第２端が前記内側壁の端面から内向きに延在してなる複数の端板を有し、各前記端板が１つの前記仕切板に対応して前記仕切板と一体に接続され、前記端板が前記仕切板に垂直であり、
前記ホルダーが更に外側壁を備え、前記外側壁が前記内側壁の一端から外向きに延在してから前記内側壁の他端へ延在し、前記内側壁と前記外側壁との間に環状凹溝が形成され、前記外側壁の外側に更に環状ストッパーが形成され、
前記ホルダーが更に前記内側壁の外表面から外向きに延在してなる複数の肋板を備え、各前記肋板が１つの前記仕切板に対応し、複数の前記肋板が前記環状凹溝内に位置することを特徴とする飲料カプセル。
【請求項２】
前記淹れたて材料が漢方薬飲片、草本材料又は茶であり、前記草本材料が植物の根、茎、葉、花及び実のうちの１つ又は複数を含むことを特徴とする請求項１に記載の飲料カプセル。
【請求項３】
前記第１シール膜と第２シール膜が線維膜であることを特徴とする請求項１に記載の飲料カプセル。
【請求項４】
前記第１シール膜と第２シール膜が半透明膜であることを特徴とする請求項１に記載の飲料カプセル。
【請求項５】
前記外側壁における前記環状ストッパーの上に位置する部分及び前記環状ストッパーの下に位置する部分が結合錐面を有することを特徴とする請求項１に記載の飲料カプセル。
【請求項６】
飲料カプセルであって、
ホルダーを備え、前記ホルダーが第１開口と第２開口を有し、前記ホルダーが内側壁及び内側壁の内側に位置する複数の仕切板を備え、前記内側壁の内側に柱状空間が形成され、前記第１開口が前記柱状空間の一端に形成され、前記第２開口が前記柱状空間の他端に形成され、前記仕切板が前記柱状空間を複数の貯蔵空間に均一に仕切っており、前記貯蔵空間内に淹れたて材料が充填され、前記ホルダーの第１端には前記第１開口を覆うための第１濾紙及び第１シール膜が設置され、前記第１シール膜が前記第１濾紙の外側に位置し、前記ホルダーの第２端には前記第２開口を覆うための第２濾紙及び第２シール膜が設置され、前記第２シール膜が第２濾紙の外側に位置し、
前記仕切板が前記内側壁の内側表面から前記柱状空間の中心軸線へ延在し、又は前記仕切板が前記内側壁の内側表面から前記柱状空間の中心軸線へ延在して中心軸線に交差し、
前記ホルダーの第２端が前記内側壁の端面から内向きに延在してなる複数の端板を有し、各前記端板が１つの前記仕切板に対応して前記仕切板と一体に接続され、前記端板が前記仕切板に垂直であることを特徴とする飲料カプセル。
【請求項７】
前記ホルダーが更に外側壁を備え、前記外側壁が前記内側壁の一端から外向きに延在してから前記内側壁の他端へ延在し、前記内側壁と前記外側壁との間に環状凹溝が形成され、前記外側壁の外側に更に環状ストッパーが形成されることを特徴とする請求項６に記載の飲料カプセル。
【請求項８】
前記ホルダーが更に前記内側壁の外表面から外向きに延在してなる複数の肋板を備え、各前記肋板が１つの前記仕切板に対応し、複数の前記肋板が前記環状凹溝内に位置することを特徴とする請求項７に記載の飲料カプセル。
【請求項９】
前記第１シール膜と第２シール膜が半透明膜であることを特徴とする請求項６に記載の飲料カプセル。
【請求項１０】
前記外側壁における前記環状ストッパーの上に位置する部分及び前記環状ストッパーの下に位置する部分が結合錐面を有することを特徴とする請求項７に記載の飲料カプセル。
【考案の詳細な説明】
【技術分野】
【０００１】
本出願は飲料カプセルに関し、より具体的に、漢方薬飲片、草本材料又は茶葉等の材料を淹れることに適する飲料カプセルに関する。
【背景技術】
【０００２】
草本材料と茶葉等の材料を粉剤に研磨して直接淹れることができないため、一般的により長い淹れたて時間を必要とし、且つ更に原料の栄養成分を効率的に抽出できないという問題がある。漢方薬飲剤は一般的に複数種類の漢方薬飲片を組み合わせる必要があり、服用者は複数種類の漢方薬飲片を混合してから長時間浸漬し又は煮込む必要があり、且つその中の有効成分を効果的に抽出するように確保できず、このため、大きな無駄を招いてしまう。
【０００３】
いくつかの粉末状の可溶性飲料、例えばコーヒー、豆乳、フルーツ味の顆粒製剤等はカプセル形式で飲料原料をカプセルに密封してもよく、貯蔵・使用しやすい。しかしながら、漢方薬飲片、草本材料及び茶葉等は顆粒、塊状、片状を主とする場合が多いため、コーヒーのように粉末にすることができず、且つ粉末状の場合も漢方薬飲片、草本材料及び茶葉の抽出効果に影響してしまう。従来の飲片カプセルの形式で漢方薬飲片、草本材料及び茶葉等の材料を密封すれば、堆積して詰まることになりやすく、液体のカプセル内での流動に影響し、十分に浸漬して漢方薬飲片、草本材料及び茶における有効成分を抽出することができず、ひいては給水又は排水ができず、淹れたて効果に厳しく影響している。従って、早急に漢方薬飲片、草本材料及び茶葉に適用される飲料カプセルを開発しなければならない。
【考案の概要】
【考案が解決しようとする課題】
【０００４】
本願の目的は特に漢方薬飲片、草本材料及び茶葉等の材料を淹れることに適し、コーヒー及び他の飲料を淹れることにも適する飲料カプセルを提供することにある。
【課題を解決するための手段】
【０００５】
本願に係る飲料カプセルはホルダーを備え、前記ホルダーが第１開口と第２開口を有し、前記ホルダーが内側壁及び内側壁の内側に位置する複数の仕切板を備え、前記内側壁の内側に柱状空間が形成され、前記第１開口が前記柱状空間の一端に形成され、前記第２開口が前記柱状空間の他端に形成され、前記仕切板が前記柱状空間を複数の貯蔵空間に均一に仕切っており、前記貯蔵空間内に淹れたて材料が充填され、前記ホルダーの第１端には前記第１開口を覆うための第１濾紙及び第１シール膜が設置され、前記第１シール膜が前記第１濾紙の外側に位置し、前記ホルダーの第２端には前記第２開口を覆うための第２濾紙及び第２シール膜が設置され、前記第２シール膜が第２濾紙の外側に位置し、
前記仕切板が前記内側壁の内側表面から前記柱状空間の中心軸線へ延在し、又は前記仕切板が前記内側壁の内側表面から前記柱状空間の中心軸線へ延在して中心軸線に交差し、
前記ホルダーの第２端が前記内側壁の端面から内向きに延在してなる複数の端板を有し、各前記端板が１つの前記仕切板に対応して前記仕切板と一体に接続され、前記端板が前記仕切板に垂直である。
【０００６】
本願の飲料カプセルの一実施例によれば、前記ホルダーが更に外側壁を備え、前記外側壁が前記内側壁の一端から外向きに延在してから前記内側壁の他端へ延在し、前記内側壁と前記外側壁との間に環状凹溝が形成され、前記外側壁の外側に更に環状ストッパーが形成される。
【０００７】
本願の飲料カプセルの一実施例によれば、前記ホルダーが更に前記内側壁の外表面から外向きに延在してなる複数の肋板を備え、各前記肋板が１つの前記仕切板に対応し、複数の前記肋板が前記環状凹溝内に位置する。
【０００８】
本願の飲料カプセルの一実施例によれば、前記淹れたて材料が漢方薬飲片、草本材料又は茶であり、前記草本材料が植物の根、茎、葉、花及び実のうちの１つ又は複数を含む。
【０００９】
本願の飲料カプセルの一実施例によれば、前記第１シール膜と第２シール膜が線維膜である。
【００１０】
本願の飲料カプセルの一実施例によれば、前記第１シール膜と第２シール膜が半透明膜である。
【００１１】
本願の飲料カプセルの一実施例によれば、前記外側壁における前記環状ストッパーの上に位置する部分及び前記環状ストッパーの下に位置する部分が結合錐面を有する。
【考案の効果】
【００１２】
本出願の飲料カプセルを実施することにより、ホルダーが仕切板と端板を有するため、構造の力受けがより合理的であり、変形しにくく、淹れたて材料の膨張に空間を提供し、膨張できないため淹れたて効果に影響することがないという有益な効果を有する。
【図面の簡単な説明】
【００１３】
【図１】図１は本願に係る飲料カプセルの一実施例の分解模式図である。
【図２】図２は本願に係る飲料カプセルの一実施例の別の視点から見た分解模式図である。
【図３】図３は本願に係る飲料カプセルの一実施例の立体模式図である。
【図４】図４は本願に係る飲料カプセルの一実施例の別の視点から見た立体模式図である。
【図５】図５は本願に係る飲料カプセルの一実施例の平面模式図である。
【図６】図６は本願に係る飲料カプセルの一実施例の底面模式図である。
【図７】図７は本願に係る飲料カプセルの一実施例のホルダーの平面模式図である。
【図８】図８は本願に係る飲料カプセルの一実施例のホルダーの底面模式図である。
【図９】図９は本願に係る飲料カプセルの一実施例のホルダーの縦断面模式図である。
【図１０】図１０は本願に係る飲料カプセルの一実施例のホルダーの他の縦断面模式図である。
【図１１】図１１は図３に示される飲料カプセルを順方向に淹れたてシステムに組み込む模式図である。
【図１２】図１２は図３に示される飲料カプセルを逆方向に淹れたてシステムに組み込む模式図である。
【図１３】図１３は本出願に係る飲料カプセルの他の実施例の分解模式図である。
【図１４】図１４は図１３に示される飲料カプセルの別の視点から見た分解模式図である。
【図１５】図１５は図１３に示される飲料カプセルのホルダーの立体模式図である。
【図１６】図１６は図１５に示されるホルダーの別の視点から見た立体模式図である。
【図１７】図１７は図１３に示される飲料カプセルの立体模式図である。
【考案を実施するための形態】
【００１４】
本出願の技術的特徴、目的及び効果をより明確に理解するために、以下に図面を参照しながら本出願の具体的な実施形態を詳しく説明する。
【００１５】
以下に本出願の飲料カプセルの実施例を詳しく説明し、これらの実施例の例を図面に示すが、始終同様又は類似の番号は同様又は類似の部品、又は同様又は類似機能を有する部品を示す。
【００１６】
本出願の飲料カプセルの説明において、理解されるべきことは、用語「前」「後」「上」「下」「上端」「下端」「上部」及び「下部」等で示される方位又は位置関係は図面に示される方位又は位置関係に基づくものであり、本出願を説明しやすく、説明を簡素化するためのものに過ぎず、指す装置又は部品は特定の方位を有し、特定の方位で構成・操作しなければならないことを指示又は示唆するためのものではないことである。従って、用語「前」「後」「上」「下」「上端」「下端」「上部」及び「下部」等は、本出願を制限するためのものであると理解すべきではない。また、用語「第１」「第２」等は説明のためのものに過ぎず、相対重要性を指示又は示唆すると理解すべきではない。
【００１７】
図１〜図１２には本願に係る飲料カプセルの一実施例を示す。該実施例の飲料カプセルはホルダー１０を備え、ホルダー１０が食品グレード材料、例えばプラスチック等の材料で製造されてもよい。ホルダー１０が第１開口１０１と第２開口１０２を有し、ホルダー１０が内側壁１１及び内側壁１１の内側に位置する複数の仕切板１２を備え、内側壁１１と仕切板１２とが一体成形、例えば一体射出成形されてもよく、仕切板１２が内側壁１１の内側表面から柱状空間１００の中心軸線へ延在する。内側壁１１の内側に柱状空間１００が形成され、第１開口１０１と第２開口１０２とがそれぞれ柱状空間１００の両端に位置し、仕切板１２が柱状空間１００を複数の貯蔵空間１１０に分割し、貯蔵空間１１０内に淹れたて材料（図示せず）が充填される。淹れたて材料は、漢方薬飲片、草本材料又は茶であってもよく、草本材料が植物の根、茎、葉、花及び実のうちの１つ又は複数を含み、茶葉が市場に販売されている様々な茶葉であってもよく、漢方薬飲片が加工処理後の様々な漢方薬であってもよい。淹れたて材料は、更にコーヒー及び他の飲料であってもよい。
【００１８】
図１、図２、図７及び図８に示すように、本実施例では、内側壁１１の内側表面に８つの仕切板１２が形成され、８つの仕切板１２が内側壁１１の内側表面から柱状空間１００の中心軸線へ延在して中心軸線に交差し、８つの仕切板１２が柱状空間１００を８つの貯蔵空間１１０に均一に仕切っている。内側壁１１及びその内側の仕切板１２が淹れたて材料の膨張に空間を提供し、淹れたて材料が膨張できないため淹れたて効果に影響することがない。且つ、仕切板１２は内側壁１１の内側に複数の流路を形成することができる。これにより、淹れる際に液体が内側壁１１の内側空間内を均一に流れることができ、淹れたて材料を十分に浸漬することができる。ホルダー１０の内側壁１１の第２端に更に複数の端板１４が設置され、端板１４の数が仕切板１２の数と同じであり、端板１４が仕切板１２に対応して設置され、且つ端板１４が仕切板１２に垂直である。端板１４の主な作用はホルダー１０の第２端で良好な支持作用を果たすことである。端板１４は仕切板１２の台座及び補強面であり、内部の仕切板１２を縮んで曲げにくくして、ヒートシールに良好な作業面を提供し、密封時の圧力をより均一にする。
【００１９】
図１及び図２に示すように、本実施例の飲料カプセルのホルダー１０の第１端、すなわち内側壁１１の第１端には第１開口１０１を覆うための第１濾紙２１及び第１シール膜３１が設置され、第１シール膜３１が第１濾紙２１の外側に位置し、ホルダー１０の第２端、すなわち内側壁１１の第２端には第２開口１０２を覆うための第２濾紙２２及び第２シール膜３２が設置され、第２シール膜３２が第２濾紙２２の外側に位置する。第１シール膜３１及び第１濾紙２１がヒートシール形式で内側壁１１の第１端に設置され、第２シール膜３２及び第２濾紙２２がヒートシール形式で内側壁１１の第２端に設置され、内側壁１１の材質及び形状がヒートシールを行うことに役立つ。第１シール膜３１及び第２シール膜３２は、線維膜又は他の一般的に適用される薄膜材料であってもよく、容易に穿刺できることが好ましい。第１濾紙２１及び第２濾紙２２は、いかなる一般的に適用される濾紙であってもよく、淹れたて材料の濾過を実現できることが好ましい。第１シール膜３１及び第２シール膜３２は、更に半透明膜であってもよい。このように、検出者は端板１４と第２シール膜３２との密着度を観察して、ヒートシール収率を迅速且つ十分に検査することにより、ヒートシール後の検出効率を向上させることができる。
【００２０】
図２、図４、図６及び図８〜図１０に示すように、本実施例では、ホルダー１０が更に外側壁１５を備え、外側壁１５が内側壁１１の一端から外向きに延在してから内側壁１１の他端へ延在し、内側壁１１と外側壁１５との間に環状凹溝１６が形成され、外側壁１５の外側に更に環状ストッパー１３が形成される。ホルダー１０が更に内側壁１１の外表面から外向きに延在してなる複数の肋板１７を備え、各肋板１７が１つの仕切板１２に対応し、つまり、肋板１７が仕切板１２に１対１に対応し、肋板１７が仕切板１２の延在方向に位置し、複数の肋板１７が環状凹溝１６内に位置する。このような構造設計によって、飲料カプセルは材料肉厚を増加しない場合、上下構造の金型で加工して離型することができるが、生産コストを増加させず、生産品質を向上させるだけでなく、ホルダーを金型から容易に取り出すこともできる。これにより、より良く且つより効率的に射出成形する。肋板１７があるため、更に淹れる際に、環状ストッパー１３がより高い圧力、例えば１９バール（ｂａｒ）の淹れたて圧力を受けても、変形しにくい。また、頂部及び底部にいずれも十分なヒートシール面があるため、シール膜でヒートシールされる接触面積への要件を同時に満たすことができる。十分なヒートシールによって、カプセルは淹れる際により高い圧力を受けることができ、それにより良好な淹れたて効果を実現する。内側壁１１と外側壁１５との間の凹溝１６の設計によって、ホルダー１０の靱性及び縁部耐圧性を向上させ、カプセルを淹れたて室内で密封するとき、位置決め用の治具がカプセルを容易に締め付けることができ、カプセルシェルが圧力を受けて破損されることがない。また、図９及び図１０に示すように、外側壁１５における環状ストッパー１３の上に位置する部分及び環状ストッパー１３の下に位置する部分が結合錐面１５１、１５２を有し、該構造設計によって、飲料カプセルが淹れるとき、密封室に接触する前後リンクのサイズが一致し、密封されたチャンバはカプセルの前後形状が異なるため、隙間を生じることがない。
【００２１】
図１１及び図１２には本願の飲料カプセル１の淹れたてシステム２の模式図を示す。図示のように、飲料カプセル１を順方向又は逆方向に淹れたてシステム２に組み込み、飲料カプセルをチャンバに入れるとき、ユーザーが前後を区分する必要がなく、いかなる方向で入れてもよく、飲料カプセルの前後の受けた背圧が完全に一致するため、不均一な圧力に起因して淹れたて効果に影響することがない。淹れたてシステム２は針盤を利用して第１シール膜３１及び第２シール膜３２を突き刺し、次に湯を注いで淹れ、第１濾紙２１及び第２濾紙２２が濾過作用を果たす。淹れたて液体は飲料カプセルの第２端の第２シール膜３２の刺した穴から均一に入って、第１端の第１シール膜３１の中央から流れ出し、第１濾紙２１及び第２濾紙２２は淹れたて材料を十分に濾過し、水中の不純物を効果的に濾過し、淹れた液体をより均一に細かくすることができる。
【００２２】
図１２〜図１７は本願の飲料カプセルの他の実施例の模式図である。該実施例の飲料カプセルの構造は図１〜図１２に示される飲料カプセルの実施例の構造と類似し、相違点は、図１２及び図１７に示される実施例では、ホルダー１０の環状ストッパー１３が直接内側壁１１の外側表面から外向きに延在してなり、環状ストッパー１３が内側壁１１の中央に形成されてもよく、内側壁１１と環状ストッパー１３とが一体成形されてもよいということである。環状ストッパー１３は飲料カプセルを固定する位置を提供し、飲料カプセルの淹れたてシステムでの位置決めに役立つ。環状ストッパー１３もシール端面を提供し、飲料カプセルが淹れたてシステムに置かれる場合、淹れたてシステムのシールリングが環状ストッパー１３に圧着され、内側壁１１の内部の淹れたて材料の浸漬に役立つよう、環状ストッパー１３の一側にシール空間が形成されてもよい。環状ストッパー１３及び内側壁１１のような設計によって、淹れたて室を開けるとき、使用済みの飲料カプセルが落ちて正確に落下することができる。
【００２３】
本願の飲料カプセルは生分解性材料で製造されてもよく、ホルダー１０、第１濾紙２１、第２濾紙２２、第１シール膜３１、第２シール膜３２はいずれも分解でき、飲料カプセルは淹れた後にいかなる後続プロセスも必要とせずに全体として自然に分解できる。
【００２４】
本願の飲料カプセルは、ホルダー１０の内側壁１１及び内部の仕切板１２が支持作用を果たすことができ、十分な内部空間があるため、包装輸送等の過程で内部淹れたて材料を押し出して、淹れたて効果に影響することを回避する。ホルダー１０の内側壁１１及び内部の仕切板１２は淹れたて材料を柱状空間１００内に均一に分布させ、淹れたて材料が膨張した後に堆積して押し出すことがなく、液体が十分に流れ込んで、材料を浸漬することができる。淹れたて材料は膨張時に表面を平滑にしてもよく、シール膜を針盤の表面にスムーズに接触させることを可能にし、理想的な穿刺効果を実現し、且つ淹れたて材料は膨張して穿刺穴をふさぐことがなく、ホルダーそのものが針盤に接触せず、穿刺に影響しない。内側壁１１内の仕切板１２は淹れたて過程において液体を案内する作用を果たし、液体を仕切板１２で仕切ってなる空間内に循環させ、内側壁１１の内側のすべての空間を十分に浸漬し、淹れたて材料の形状が不均一であるため、液体流路が安定しないことがなく、最高の抽出効果を実現する。内側壁１１及び仕切板１２が第１濾紙２１及び第２濾紙２２に支持を提供し、濾紙を敷くことにより、淹れたて材料が濾紙を押し出すため、濾過効果に影響することがない。
【００２５】
以上は図面を参照しながら本出願の実施例を説明したが、本出願は上記具体的な実施形態に限らず、上記具体的な実施形態は模式的なものであって、制限のためのものではなく、当業者が本出願の示唆で、本出願の趣旨及び実用新案登録請求の範囲を逸脱せずに、更に種々の変形を行うことができ、これらはいずれも本出願の保護範囲内に属すべきである。
【図１】
0003225795.tif 000003
【図２】
0003225795.tif 000004
【図３】
0003225795.tif 000005
【図４】
0003225795.tif 000006
【図５】
0003225795.tif 000007
【図６】
0003225795.tif 000008
【図７】
0003225795.tif 000009
【図８】
0003225795.tif 000010
【図９】
0003225795.tif 000011
【図１０】
0003225795.tif 000012
【図１１】
0003225795.tif 000013
【図１２】
0003225795.tif 000014
【図１３】
0003225795.tif 000015
【図１４】
0003225795.tif 000016
【図１５】
0003225795.tif 000017
【図１６】
0003225795.tif 000018
【図１７】
0003225795.tif 000019